(57)【要約】【課題】  システムの異常発生後の再画像形成時、ユーザの煩わしさを低減させる。【解決手段】  異常発生時には、自発的にシステムリブート処理を行った後、画像読み取り手段３により読み取られた原稿画像がデータ記憶手段４に正常に格納されているか否かを確認する。読み取り原稿画像がデータ記憶手段に正常に格納されている場合には、システムリブート処理後の再画像形成時に再読取りせずに、データ記憶手段４の格納画像を用いた画像出力を実行する。これにより、読み取った画像が正常にデータ記憶手段４に格納されているにも拘わらず、システムリブート処理後の再画像形成時に再読み取りを要求することがなくなるので、システムの異常発生後の再画像形成時、ユーザの煩わしさを低減させることができる。【選択図】    図１
2006121177.tif 000002
【特許請求の範囲】
【請求項１】
画像読み取り手段により読み取られた原稿の画像をデータ記憶手段に格納し、当該データ記憶手段に格納した原稿画像を画像出力手段により出力する画像処理装置において、
異常発生時に、システムリブート処理を実行する手段と、
前記システムリブート処理後に、前記画像読み取り手段により読み取られた原稿画像が前記データ記憶手段に正常に格納されているか否かを確認する手段と、
読み取られた原稿画像が前記データ記憶手段に正常に格納されている場合は、前記データ記憶手段の格納画像を用いた前記画像出力手段における画像出力動作を実行する手段と、
を備えることを特徴とする画像処理装置。
【請求項２】
前記システムリブート処理後における画像再出力の際に、前記データ記憶手段の格納画像を用いて画像出力する旨を報知する、
ことを特徴とする請求項１記載の画像処理装置。
【請求項３】
前記システムリブート処理後における画像再出力の際に、前記データ記憶手段の格納画像を用いた画像出力と、原稿画像の前記画像読み取り手段による再読み取り後の画像出力とのいずれかを選択させる手段を備え、
原稿画像の再読み取りが選択された場合には、前記データ記憶手段の格納画像を破棄し、前記画像読み取り手段による再読み取り後の画像を用いて画像出力する、
ことを特徴とする請求項１記載の画像処理装置。
【請求項４】
前記システムリブート処理後における画像再出力の際に、前記データ記憶手段の格納画像を用いた画像出力と、原稿画像の前記画像読み取り手段による再読み取り後の画像出力とのいずれを選択するかを、事前に設定させる手段を備えることを特徴とする請求項３記載の画像処理装置。
【請求項５】
画面表示により報知する、
ことを特徴とする請求項１または２記載の画像処理装置。
【請求項６】
画面表示と音声ガイドとにより報知する、
ことを特徴とする請求項１または２記載の画像処理装置。
【請求項７】
原稿搬送手段により順次搬送されて画像読み取り手段により読み取られた複数枚原稿の画像をデータ記憶手段に格納し、当該データ記憶手段に格納した原稿画像を画像出力手段により出力する画像処理装置において、
異常発生時に、システムリブート処理を実行する手段と、
前記システムリブート処理の際に、前記原稿搬送手段による複数枚の原稿の連続読み取り中であったか否かを確認する手段と、
前記原稿搬送手段による複数枚の原稿の連続読み取り中であった場合、システムリブート処理後に、前記原稿搬送手段への戻し枚数を報知する手段と、
を備えることを特徴とする画像処理装置。
【請求項８】
前記戻し枚数は、前記データ記憶手段に正常に画像格納ができなかった原稿の枚数である、
ことを特徴とする請求項７記載の画像処理装置。
【請求項９】
前記戻し枚数は、前記原稿搬送手段による給紙に失敗した原稿の枚数である、
ことを特徴とする請求項７または８記載の画像処理装置。
【請求項１０】
前記システムリブート処理後における画像再出力の際に、前記原稿搬送手段により順次搬送される原稿の前記画像読み取り手段による再読み取りを行う場合、前記原稿搬送手段への戻し枚数分の原稿の読み取りと、全ての原稿の読み取りとのいずれかを選択させる手段を備え、
全ての原稿の読み取りが選択された場合には、前記データ記憶手段の格納画像を破棄し、前記画像読み取り手段による全ての原稿の再読み取り後の画像を用いて画像出力する、
ことを特徴とする請求項７記載の画像処理装置。
【請求項１１】
前記システムリブート処理後における画像再出力の際に、前記原稿搬送手段への戻し枚数分の原稿の読み取りと、全ての原稿の読み取りとのいずれを選択するかを、事前に設定させる手段を備えることを特徴とする請求項１０記載の画像処理装置。
【請求項１２】
画面表示により報知する、
ことを特徴とする請求項７記載の画像処理装置。
【請求項１３】
画面表示と音声ガイドとにより報知する、
ことを特徴とする請求項７記載の画像処理装置。
【発明の詳細な説明】
【技術分野】
【０００１】
本発明は、画像処理装置に関する。
【背景技術】
【０００２】
スキャナ動作時に異常が発生した場合、その読み取りを再開する方法は、例えば特許文献１等に開示されている。
【０００３】
また、システムの異常発生時に、その原因が誤検知による異常であったり、あるいはシステムリブートにより復帰可能な場合に、ユーザによる手動リブートなしでも、システムによる自発的リブートにより復帰させ、ユーザに対する煩わしさを低減させることができる技術も公知である。
【０００４】
【特許文献１】特開平０８−０４６７６３号公報
【発明の開示】
【発明が解決しようとする課題】
【０００５】
ところで、システム異常の内容がスキャナとは関係のない印刷部の異常であったり、あるいは正常に読み取り画像の格納終了後に発生した異常であった場合、リブート後の再読み取りは不要である。
【０００６】
しかしながら、システムによる自発的リブートにより復帰させる場合においては、読み取った画像が正常に記憶媒体に格納されているにも拘わらず、リブート後の再画像形成時に再読み取りを要求することになるので、ユーザにとっての煩わしさが増すことになる。
【０００７】
また、システムの異常発生が複数枚原稿の連続読取り中であった場合、ある原稿（ｎ枚目）までは読み取った画像が正常に記憶媒体に格納されているにも拘わらず、リブート後の再画像形成時に全原稿（Ｎ枚）の再読み取りを要求することになるので、ユーザにとっての煩わしさが増すことになる。
【０００８】
本発明は、システムの異常発生後の再画像形成時、ユーザの煩わしさを低減させることを目的とする。
【課題を解決するための手段】
【０００９】
請求項１記載の発明は、画像読み取り手段により読み取られた原稿の画像をデータ記憶手段に格納し、当該データ記憶手段に格納した原稿画像を画像出力手段により出力する画像処理装置において、異常発生時に、システムリブート処理を実行する手段と、前記システムリブート処理後に、前記画像読み取り手段により読み取られた原稿画像が前記データ記憶手段に正常に格納されているか否かを確認する手段と、読み取られた原稿画像が前記データ記憶手段に正常に格納されている場合は、前記データ記憶手段の格納画像を用いた前記画像出力手段における画像出力動作を実行する手段と、を備える。
【００１０】
したがって、異常発生時には、自発的にシステムリブート処理が行われた後、画像読み取り手段により読み取られた原稿画像がデータ記憶手段に正常に格納されているか否かが確認される。読み取り原稿画像がデータ記憶手段に正常に格納されている場合には、システムリブート処理後の再画像形成時に再読取りせずに、データ記憶手段の格納画像を用いた画像出力が実行される。これにより、読み取った画像が正常にデータ記憶手段に格納されているにも拘わらず、システムリブート処理後の再画像形成時に再読み取りを要求することがなくなる。
【００１１】
請求項２記載の発明は、請求項１記載の画像処理装置において、前記システムリブート処理後における画像再出力の際に、前記データ記憶手段の格納画像を用いて画像出力する旨を報知する。
【００１２】
したがって、システムリブート処理後の再画像形成時には、データ記憶手段の格納画像を用いて画像出力されることをユーザが知ることが可能となる。
【００１３】
請求項３記載の発明は、請求項１記載の画像処理装置において、前記システムリブート処理後における画像再出力の際に、前記データ記憶手段の格納画像を用いた画像出力と、原稿画像の前記画像読み取り手段による再読み取り後の画像出力とのいずれかを選択させる手段を備え、原稿画像の再読み取りが選択された場合には、前記データ記憶手段の格納画像を破棄し、前記画像読み取り手段による再読み取り後の画像を用いて画像出力する。
【００１４】
したがって、システムリブート処理後の再画像形成時に、再読み取りをすべきか否かをユーザが判断することが可能となる。
【００１５】
請求項４記載の発明は、請求項３記載の画像処理装置において、前記システムリブート処理後における画像再出力の際に、前記データ記憶手段の格納画像を用いた画像出力と、原稿画像の前記画像読み取り手段による再読み取り後の画像出力とのいずれを選択するかを、事前に設定させる手段を備える。
【００１６】
したがって、システムリブート処理後の再画像形成時に、再読み取りをすべきか否かをユーザが事前に設定することが可能となる。
【００１７】
請求項５記載の発明は、請求項１または２記載の画像処理装置において、画面表示により報知する。
【００１８】
したがって、ユーザにとって視覚的に理解しやすくなるので、操作性向上を図ることが可能になる。
【００１９】
請求項６記載の発明は、請求項１または２記載の画像処理装置において、画面表示と音声ガイドとにより報知する。
【００２０】
したがって、ユーザにとって視覚的、更には聴覚的にも理解しやすくなるので、操作性向上を図ることが可能になる。
【００２１】
請求項７記載の発明は、原稿搬送手段により順次搬送されて画像読み取り手段により読み取られた複数枚原稿の画像をデータ記憶手段に格納し、当該データ記憶手段に格納した原稿画像を画像出力手段により出力する画像処理装置において、異常発生時に、システムリブート処理を実行する手段と、前記システムリブート処理の際に、前記原稿搬送手段による複数枚の原稿の連続読み取り中であったか否かを確認する手段と、前記原稿搬送手段による複数枚の原稿の連続読み取り中であった場合、システムリブート処理後に、前記原稿搬送手段への戻し枚数を報知する手段と、を備える。
【００２２】
したがって、異常発生時における自発的なシステムリブート処理の際に、原稿搬送手段による複数枚の原稿の連続読み取り中であったか否かが確認される。原稿搬送手段による複数枚の原稿の連続読み取り中であった場合には、システムリブート処理後に、原稿搬送手段への戻し枚数が報知される。これにより、ある原稿（ｎ枚目）までは読み取った画像が正常に記憶媒体に格納されているにも拘わらず、システムリブート処理後の再画像形成時に全原稿（Ｎ枚）の再読み取りを要求することがなくなる。
【００２３】
請求項８記載の発明は、請求項７記載の画像処理装置において、前記戻し枚数は、前記データ記憶手段に正常に画像格納ができなかった原稿の枚数である。
【００２４】
したがって、ｎ枚目までは正常に読み取り画像の格納が終了している場合には、システムリブート後の再画像形成時にｎ枚目までの再読取りせずに、ｎ＋１〜Ｎ枚目までの未読原稿の再読取りだけを実行することが可能になる。
【００２５】
請求項９記載の発明は、請求項７または８記載の画像処理装置において、前記戻し枚数は、前記原稿搬送手段による給紙に失敗した原稿の枚数である。
【００２６】
したがって、ｎ枚目までは正常に原稿搬送手段による給紙が終了している場合には、システムリブート後の再画像形成時にｎ枚目までの再読取りせずに、ｎ＋１〜Ｎ枚目までの未読原稿の再読取りだけを実行することが可能になる。
【００２７】
請求項１０記載の発明は、請求項７記載の画像処理装置において、前記システムリブート処理後における画像再出力の際に、前記原稿搬送手段により順次搬送される原稿の前記画像読み取り手段による再読み取りを行う場合、前記原稿搬送手段への戻し枚数分の原稿の読み取りと、全ての原稿の読み取りとのいずれかを選択させる手段を備え、全ての原稿の読み取りが選択された場合には、前記データ記憶手段の格納画像を破棄し、前記画像読み取り手段による全ての原稿の再読み取り後の画像を用いて画像出力する。
【００２８】
したがって、システムリブート処理後における画像再出力の際の原稿の読み取りについて、戻し枚数分の原稿の読み取りと、全ての原稿の読み取りとをユーザが判断することが可能となる。
【００２９】
請求項１１記載の発明は、請求項１０記載の画像処理装置において、前記システムリブート処理後における画像再出力の際に、前記原稿搬送手段への戻し枚数分の原稿の読み取りと、全ての原稿の読み取りとのいずれを選択するかを、事前に設定させる手段を備える。
【００３０】
したがって、システムリブート処理後における画像再出力の際の原稿の読み取りについて、戻し枚数分の原稿の読み取りと、全ての原稿の読み取りとをユーザが事前に設定することが可能となる。
【００３１】
請求項１２記載の発明は、請求項７記載の画像処理装置において、画面表示により報知する。
【００３２】
したがって、ユーザにとって視覚的に理解しやすくなるので、操作性向上を図ることが可能になる。
【００３３】
請求項１３記載の発明は、請求項７記載の画像処理装置において、画面表示と音声ガイドとにより報知する。
【００３４】
したがって、ユーザにとって視覚的、更には聴覚的にも理解しやすくなるので、操作性向上を図ることが可能になる。
【発明の効果】
【００３５】
本発明によれば、システムの異常発生後の再画像形成時、ユーザの煩わしさを低減させることができる。
【発明を実施するための最良の形態】
【００３６】
[第一の実施の形態]
本発明の第一の実施の形態を図１ないし図５に基づいて説明する。本実施の形態においては、画像処理装置としてＭＦＰ（Multi Function Peripheral）と称される複写機を適用した一例である。
【００３７】
図１は、第一の実施の形態の複写機１を示すブロック図である。図１中、太線が画像データ、細線が制御データを示す。図１に示すように、複写機１は、システム全体の統括制御を行うＣＰＵ（Central Processing Unit）や起動プログラムなどを記憶するＲＯＭ（Read Only Memory）などで構成されているシステム制御手段２を備えており、このシステム制御手段２には、原稿画像を読み取るスキャナなどの画像読み取り手段３と、ＲＡＭ（Random Access Memory）やＨＤＤ（Hard Disk Drive）であるデータ記憶手段４と、プリンタなどの画像出力手段５とが接続されている。このような複写機１は、概略的には、画像読み取り手段３により読み取られた原稿の画像信号は、データ記憶手段４へと入力され、画像等のデータが格納される。その後、画像出力手段５により画像形成が行われる。画像出力手段５は、コピー機能の場合は、印刷手段であり、ＦＡＸ機能の場合はＦＡＸ送信相手用通信手段であり、スキャナ機能の場合はＰＣモニタ等への表示手段となる。
【００３８】
加えて、システム制御手段２には、ユーザからの操作及び指示内容表示や通知を行う操作・表示・通知手段６も接続されている。操作・表示・通知手段６は、一般に操作パネルと呼ばれているものであり、表示装置上にタッチパネルを積層させたものである。
【００３９】
上述したデータ記憶手段４には、システム制御手段２を動作させる制御プログラムが記憶されている。次に、データ記憶手段４に格納された制御プログラムが、システム制御手段２に実行させる機能について説明する。なお、本実施の形態においては、従来の複写機によって行なわれる処理と同様の処理についてはその説明を省略する。
【００４０】
ここで、図２は異常発生後の再開処理の流れを示すフローチャートである。図２に示すように、システム制御手段２は、画像読み取り手段３により原稿画像を読み取り、読み取った原稿画像をデータ記憶手段４へと格納する際に（ステップＳ１）、異常動作が発生しているか否かを判断する（ステップＳ２）。ここで、異常動作とは、例えばファクシミリのダイレクト送信動作において原稿画像送信中に発生するエラーなどである。
【００４１】
システム制御手段２は、異常動作が発生していると判断した場合には（ステップＳ２のＹ）、画像読み取り手段３からの通知に基づいて読み取られた原稿画像のデータ記憶手段４への格納が正常にできたか否かを記憶した後（ステップＳ３）、自発的にシステムリブートを行う（ステップＳ４）。その後、システム制御手段２は、ステップＳ３で記憶した情報に基づき、読み取られた原稿画像がデータ記憶手段４へ正常に格納されているか否かを確認する（ステップＳ５）。システム制御手段２は、読み取られた原稿画像がデータ記憶手段４へ正常に格納されていない場合は（ステップＳ５のＮ）、画像読み取り手段３により原稿画像を読み取りに再び待機する。読み取られた原稿画像がデータ記憶手段４へ正常に格納されている場合は（ステップＳ５のＹ）、システム制御手段２は、画像出力手段５における格納画像を用いた画像出力動作を実行する（ステップＳ６）。
【００４２】
ここで、システム制御手段２は、図３に示すように、システムリブート後の再画像形成時には、格納画像を用いて画像出力する旨を操作・表示・通知手段６に画面表示させ、ユーザに対して通知する。
【００４３】
また、システム制御手段２は、図４に示すように、システムリブート後の再画像形成時に、格納画像を用いて画像出力する旨を操作・表示・通知手段６に画面表示させ、ユーザに対して通知するとともに、ユーザが再読取りを選択設定した場合には、格納画像を破棄し、再読取り画像を用いて画像出力するようにしても良い。より具体的には、システム制御手段２は操作・表示・通知手段６により図４に示す旨の通知を画面表示させ、ユーザは希望する内容をシステム制御手段２に伝える。ユーザにより「はい」が選択された場合には、システム制御手段２は画像出力手段５に対して画像出力を指示し、格納された画像により画像出力を実行させる。ユーザにより「いいえ」が選択された場合には、システム制御手段２はデータ記憶手段４に対して画像破棄を指示し、格納された画像は破棄される。これにより、システムリブート処理後の再画像形成時に、再読み取りをすべきか否かをユーザが判断することが可能となる。
【００４４】
一方、システム制御手段２は、異常動作が発生していると判断しない場合には（ステップＳ２のＮ）、そのまま画像出力手段５における格納画像を用いた画像出力動作を実行する（ステップＳ６）。
【００４５】
なお、システムリブート後の再画像形成時（異常検知後の再起動時）に、格納画像を用いずに、再読取りによる画像出力をユーザが常時希望する場合、事前に初期設定等にて該内容を設定できるようにしても良い。例えば、システム制御手段２は操作・表示・通知手段６により図５に示す旨の通知を画面表示させ、ユーザは希望する内容をシステム制御手段２に伝える。ユーザにより「はい」が選択された場合には、システム制御手段２は図４に示したような通知を行わない。これにより、システムリブート処理後の再画像形成時に、再読み取りをすべきか否かをユーザが事前に設定することが可能となる。
【００４６】
また、本実施の形態においては、ユーザに対する設定及び通知を画面表示により行うようにしたが、これに限るものではなく、設定及び通知は画面表示に加えて音声ガイドにて行うようにしても良い。これにより、ユーザにとって視覚的、更には聴覚的にも理解しやすくなるので、操作性向上を図ることが可能になる。操作パネルである操作・表示・通知手段６上の画像表示による視覚手段や、音声による聴覚手段により指示する図３〜５はあくまでも一例であり、表示主旨は同様であっても内容はこの限りではない。
【００４７】
このように本実施の形態によれば、異常発生時には、自発的にシステムリブート処理が行われた後、画像読み取り手段３により読み取られた原稿画像がデータ記憶手段４に正常に格納されているか否かが確認される。読み取り原稿画像がデータ記憶手段に正常に格納されている場合には、システムリブート処理後の再画像形成時に再読取りせずに、データ記憶手段４の格納画像を用いた画像出力が実行される。これにより、読み取った画像が正常にデータ記憶手段４に格納されているにも拘わらず、システムリブート処理後の再画像形成時に再読み取りを要求することがなくなるので、システムの異常発生後の再画像形成時、ユーザの煩わしさを低減させることができる。
【００４８】
[第二の実施の形態]
本発明の第二の実施の形態を図６ないし図１１に基づいて説明する。なお、前述の実施の形態で示した部分と同一部分は同一符号を用いて示す。
【００４９】
図６は、第二の実施の形態の複写機１を示すブロック図である。図６中、太線が画像データ、細線が制御データを示す。図６に示すように、複写機１は、システム全体の統括制御を行うＣＰＵ（Central Processing Unit）や起動プログラムなどを記憶するＲＯＭ（Read Only Memory）などで構成されているシステム制御手段２を備えており、このシステム制御手段２には、原稿画像を読み取るスキャナなどの画像読み取り手段３と、ＲＡＭ（Random Access Memory）やＨＤＤ（Hard Disk Drive）であるデータ記憶手段４と、プリンタなどの画像出力手段５とが接続されている。このような複写機１は、概略的には、画像読み取り手段３により読み取られた原稿の画像信号は、データ記憶手段４へと入力され、画像等のデータが格納される。その後、画像出力手段５により画像形成が行われる。画像出力手段５は、コピー機能の場合は、印刷手段であり、ＦＡＸ機能の場合はＦＡＸ送信相手用通信手段であり、スキャナ機能の場合はＰＣモニタ等への表示手段となる。また、本実施の形態の複写機１には、必要に応じて画像読み取り手段３に対して原稿を順次搬送するＡＤＦ（原稿自動送り装置）の一種であるＲＡＤＦ（両面原稿自動送り装置）などの原稿搬送手段７が備えられており、原稿搬送手段７もシステム制御手段２に接続されている。
【００５０】
加えて、システム制御手段２には、ユーザからの操作及び指示内容表示や通知を行う操作・表示・通知手段６も接続されている。操作・表示・通知手段６は、一般に操作パネルと呼ばれているものであり、表示装置上にタッチパネルを積層させたものである。
【００５１】
上述したデータ記憶手段４には、システム制御手段２を動作させる制御プログラムが記憶されている。次に、データ記憶手段４に格納された制御プログラムが、システム制御手段２に実行させる機能について説明する。なお、本実施の形態においては、従来の複写機によって行なわれる処理と同様の処理についてはその説明を省略する。
【００５２】
ここで、図７は異常発生後の再開処理の流れを示すフローチャートである。図７に示すように、システム制御手段２は、原稿搬送手段７から搬送される複数枚原稿の原稿画像を画像読み取り手段３により順次読み取り、読み取った原稿画像をデータ記憶手段４へと格納する際に（ステップＳ１１）、異常動作が発生しているか否かを判断する（ステップＳ１２）。ここで、異常動作とは、例えばファクシミリのダイレクト送信動作において原稿画像送信中に発生するエラーなどである。
【００５３】
システム制御手段２は、異常動作が発生していると判断した場合には（ステップＳ１２のＹ）、画像読み取り手段３と原稿搬送手段７とからの通知に基づいて「何枚目の原稿まで正常に画像格納ができたか」「何枚目の原稿まで正常に給紙完了できたか」を記憶した後（ステップＳ１３）、自発的にシステムリブートを行う（ステップＳ１４）。その後、システム制御手段２は、ステップＳ１３で記憶した情報に基づき、正常に画像格納ができなかった原稿や給紙に失敗した原稿を原稿搬送手段７へ戻すよう、必要な枚数（戻し枚数）を操作・表示・通知手段６に画面表示させ、ユーザに対して通知した後（ステップＳ１５）、正常に画像格納ができなかった原稿や給紙に失敗した原稿の読み取りに待機する（ステップＳ１１）。図８は、システムリブート後の必要な枚数（戻し枚数）の画面表示例である。
【００５４】
なお、両面原稿での読み取りを行っている場合においては、必要な枚数（戻し枚数）及びセットする面（表／裏）を通知しても良いし、表面にセットすることにより自動的に再読み取りの必要な面からの読み取りを行う（つまり、裏面からの再読み取りが必要な場合には、表面のスキャンはせずに裏面から読み取りを開始する）ようにしても良い。
【００５５】
また、システム制御手段２は、図９に示すように、システムリブート後の再画像形成時に、正常に画像格納ができなかった原稿や給紙に失敗した原稿を原稿搬送手段７へ戻すよう、必要な枚数（戻し枚数）を操作・表示・通知手段６に画面表示させ、ユーザに対して通知するとともに、ユーザが再読取りを選択設定した場合には、格納画像を破棄し、再読取り画像を用いて画像出力するようにしても良い。より具体的には、システム制御手段２は操作・表示・通知手段６により図９に示す旨の通知を画面表示させ、ユーザは希望する内容をシステム制御手段２に伝える。ユーザが原稿を戻して「はい」が選択された場合には、画像形成がリブート前の状態から再開される。ユーザにより「いいえ」が選択された場合には、システム制御手段２はデータ記憶手段４に対して画像破棄を指示して格納された画像を破棄させ、最初から画像形成が実行される。これにより、システムリブート処理後における画像再出力の際の原稿の読み取りについて、戻し枚数分の原稿の読み取りと、全ての原稿の読み取りとをユーザが判断することが可能となる。
【００５６】
一方、システム制御手段２は、異常動作が発生していると判断しない場合には（ステップＳ１２のＮ）、そのまま画像出力手段５における格納画像を用いた画像出力動作を実行する（ステップＳ１６）。
【００５７】
なお、システムリブート後の再画像形成時（異常検知後の再起動時）に、戻し原稿の枚数を表示するか、全原稿再スキャンの旨を表示するか、を選択できるようにしても良い。例えば、図１０に示すように、
Ａ）戻し原稿の枚数を表示する
Ｂ）全原稿再スキャンの旨を表示する
旨の通知をシステム制御手段２は操作・表示・通知手段６により画面表示させ、ユーザは希望する内容をシステム制御手段２に伝える。ユーザにより「Ｂ」が選択された場合には、システム制御手段２は前述した図８に示したような画面表示ではなく、図１１に示すような画面表示を操作・表示・通知手段６に対して行う。図１１は、システムリブート後に全原稿を戻す場合の画面表示例である。これにより、システムリブート処理後における画像再出力の際の原稿の読み取りについて、戻し枚数分の原稿の読み取りと、全ての原稿の読み取りとをユーザが事前に設定することが可能となる。
【００５８】
また、本実施の形態においては、ユーザに対する設定及び通知を画面表示により行うようにしたが、これに限るものではなく、設定及び通知は画面表示に加えて音声ガイドにて行うようにしても良い。これにより、ユーザにとって視覚的、更には聴覚的にも理解しやすくなるので、操作性向上を図ることが可能になる。操作パネルである操作・表示・通知手段６上の画像表示による視覚手段や、音声による聴覚手段により指示する図８〜１１はあくまでも一例であり、表示主旨は同様であっても内容はこの限りではない。
【００５９】
このように本実施の形態によれば、異常発生時における自発的なシステムリブート処理の際に、原稿搬送手段７による複数枚の原稿の連続読み取り中であったか否かが確認される。原稿搬送手段７による複数枚の原稿の連続読み取り中であった場合には、システムリブート処理後に、原稿搬送手段７への戻し枚数が報知される。これにより、ある原稿（ｎ枚目）までは読み取った画像が正常にデータ記憶手段４に格納されているにも拘わらず、システムリブート処理後の再画像形成時に全原稿（Ｎ枚）の再読み取りを要求することがなくなるので、システムの異常発生後の再画像形成時、ユーザの煩わしさを低減させることができる。
【図面の簡単な説明】
【００６０】
【図１】本発明の第一の実施の形態の複写機を示すブロック図である。
【図２】異常発生後の再開処理の流れを示すフローチャートである。
【図３】システムリブート後の再画像形成時における画面表示例を示す正面図である。
【図４】システムリブート後の再画像形成時における画面表示例を示す正面図である。
【図５】初期設定時における画面表示例を示す正面図である。
【図６】本発明の第二の実施の形態の複写機を示すブロック図である。
【図７】異常発生後の再開処理の流れを示すフローチャートである。
【図８】システムリブート後の再画像形成時における画面表示例を示す正面図である。
【図９】システムリブート後の再画像形成時における画面表示例を示す正面図である。
【図１０】初期設定時における画面表示例を示す正面図である。
【図１１】システムリブート後の再画像形成時における画面表示例を示す正面図である。
【符号の説明】
【００６１】
１      画像処理装置
３      画像読み取り手段
４      データ記憶手段
５      画像出力手段
７      原稿搬送手段
【図１】
2006121177.tif 000003
【図２】
2006121177.tif 000004
【図３】
2006121177.tif 000005
【図４】
2006121177.tif 000006
【図５】
2006121177.tif 000007
【図６】
2006121177.tif 000008
【図７】
2006121177.tif 000009
【図８】
2006121177.tif 000010
【図９】
2006121177.tif 000011
【図１０】
2006121177.tif 000012
【図１１】
2006121177.tif 000013